(57)【要約】【課題】ブルートゥース接続する機器を間違いなく選択しやすくすることが可能な「機器選択用ユーザインタフェースの提供装置および提供方法」を提供する。【解決手段】機器変更ボタン１０１が押下されたときに、ペアリング情報記憶部１およびモード情報記憶部２を参照して、ペアリング済みの外部機器の中から、現在設定中のモード情報に該当する機能を使用可能な外部機器を特定する外部機器特定部４と、当該特定した外部機器の機種名一覧を機器選択用のユーザインタフェースとして提供するＵＩ提供部５とを備え、現在ブルートゥース接続している外部機器で使用中の機能を使用可能な外部機器の機種名だけを機器選択用のユーザインタフェースとして提供することにより、実際に選択可能な外部機器に関する必要最小限の情報だけで構成したユーザインタフェースを通じてユーザが所望の外部機器を間違いなく選択しやすくする。【選択図】図１
2014204303.tif 000002
【特許請求の範囲】
【請求項１】
ブルートゥースのペアリングが行われている外部機器について、ブルートゥース接続して使用可能な機能を表すプロファイル情報を上記外部機器の識別情報と共に記憶するペアリング情報記憶部と、
上記外部機器をブルートゥース接続して現在使用中の機能をモード情報として記憶するモード情報記憶部と、
上記ブルートゥース接続する外部機器を変更するための指示操作が行われたときに、上記ペアリング情報記憶部および上記モード情報記憶部を参照することにより、上記ペアリング情報記憶部に記憶されているペアリング済みの外部機器の中から、現在設定中のモード情報により特定される機能を使用可能な外部機器を特定する外部機器特定部と、
上記外部機器特定部により特定された外部機器の識別情報を、ブルートゥース接続する外部機器を選択する操作を行うためのユーザインタフェースとして提供するＵＩ提供部とを備えたことを特徴とする機器選択用ユーザインタフェースの提供装置。
【請求項２】
上記外部機器特定部により特定された外部機器が通信可能範囲内に存在するか否かをサーチするサーチ部を更に備え、
上記ＵＩ提供部は、上記外部機器特定部により特定された外部機器のうち、上記サーチ部により上記通信可能範囲内に存在することが確認された外部機器の識別情報を上記ユーザインタフェースとして提供することを特徴とする請求項１に記載の機器選択用ユーザインタフェースの提供装置。
【請求項３】
上記ＵＩ提供部は、上記ブルートゥース接続する外部機器を変更する指示操作を行うための機器変更ボタンを、上記現在設定中のモード情報に対応した操作画面上に表示し、上記機器変更ボタンが押下されたときに、上記外部機器特定部により特定された外部機器の識別情報を上記ユーザインタフェースとして提供することを特徴とする請求項１に記載の機器選択用ユーザインタフェースの提供装置。
【請求項４】
上記ＵＩ提供部は、上記機器変更ボタンが所定時間より短い間の短押し操作されたときに、上記外部機器特定部により特定された外部機器の識別情報を上記ユーザインタフェースとして提供することを特徴とする請求項３に記載の機器選択用ユーザインタフェースの提供装置。
【請求項５】
上記ＵＩ提供部は、上記機器変更ボタンが所定時間以上の長押し操作されたときに、上記ペアリング情報記憶部に記憶されている外部機器の全てに関する識別情報に加え、機能を選択するための複数の機能選択ボタンを外部機器毎に表示して成る第２のユーザインタフェースを提供することを特徴とする請求項４に記載の機器選択用ユーザインタフェースの提供装置。
【請求項６】
ブルートゥースのペアリングが行われている外部機器について、ブルートゥース接続して使用可能な機能を表すプロファイル情報を上記外部機器の識別情報と共に記憶するペアリング情報記憶部と、上記外部機器をブルートゥース接続して現在使用中の機能をモード情報として記憶するモード情報記憶部とを備えた車載機において、上記外部機器を選択する操作を行うためのユーザインタフェースを提供する方法であって、
上記車載機の外部機器特定部が、上記ブルートゥース接続する外部機器を変更するための指示操作が行われたときに、上記ペアリング情報記憶部および上記モード情報記憶部を参照することにより、上記ペアリング情報記憶部に記憶されているペアリング済みの外部機器の中から、現在設定中のモード情報により特定される機能を使用可能な外部機器を特定する外部機器特定ステップと、
上記車載機のＵＩ提供部が、上記外部機器特定ステップで特定された外部機器の識別情報を、ブルートゥース接続する外部機器を選択する操作を行うためのユーザインタフェースとして提供するＵＩ提供ステップとを有することを特徴とする機器選択用ユーザインタフェースの提供方法。
【請求項７】
上記車載機のサーチ部が、上記外部機器特定ステップで特定された外部機器が通信可能範囲内に存在するか否かをサーチするサーチステップを更に有し、
上記ＵＩ提供ステップでは、上記外部機器特定ステップで特定された外部機器のうち、上記サーチステップで上記通信可能範囲内に存在することが確認された外部機器の識別情報を上記ユーザインタフェースとして提供することを特徴とする請求項６に記載の機器選択用ユーザインタフェースの提供方法。
【発明の詳細な説明】
【技術分野】
【０００１】
本発明は、機器選択用ユーザインタフェースの提供装置および提供方法に関し、特に、ペアリングが行われている外部機器の中からブルートゥース接続する外部機器を選択するためのユーザインタフェースを提供する装置に用いて好適なものである。
【背景技術】
【０００２】
従来、ハンズフリー通話を実現するためのハンズフリーユニットを備えた車載機が提供されている。ハンズフリーユニットには、近距離無線通信規格の１つであるブルートゥースにより携帯電話機やスマートフォン（以下、電話機器という）と無線で接続するタイプが存在する。また、近年では、ブルートゥースにより携帯型オーディオ再生装置やスマートフォン（以下、オーディオ機器という）と連携し、オーディオ機器に蓄積されている楽曲データを車載機にて再生可能にした技術も提供されている。
【０００３】
電話機器やオーディオ機器（以下、これらをまとめて外部機器という）をブルートゥースによって車載機に接続するためには、外部機器の識別情報を車載機にあらかじめ登録しておく必要がある。これをペアリングという。ペアリングをしておけば、車載機とブルートゥースにより通信可能範囲内に存在する外部機器は車載機と自動的にブルートゥース接続され、通信可能な状態となる。
【０００４】
車載機とペアリング済みの外部機器が複数存在する場合は、車載機によって提供される所定の機器選択画面を通じて、ブルートゥース接続する外部機器をユーザが任意に選択することが可能となっている。何れかの外部機器を選択してブルートゥース接続した後も、任意のタイミングで機器選択画面を表示させることにより、ブルートゥース接続する外部機器をユーザが任意に変更することも可能となっている。
【０００５】
図６は、車載機によって提供される従来のユーザインタフェースを示す図である。図６（ａ）は、オーディオ機器を車載機にブルートゥース接続している際に表示されるAudioモード画面の例を示している。図６（ｂ）は、電話機器を車載機のハンズフリーユニットにブルートゥース接続している際に表示されるPhoneモード画面の例を示している。どちらの画面にも、ユーザインタフェースとして機器変更ボタン１０１が表示されている。図６（ｃ）は、この機器変更ボタン１０１が押下されたときに表示される機器選択画面を示している。
【０００６】
図６（ｃ）に示すように、機器選択画面には、車載機とペアリング済みの外部機器の機種名を表示する機種名表示エリア１０２と、ブルートゥース接続する外部機器を選択する操作を行うための操作エリア１０３とが表示される。図６（ｃ）の例では、５機種の外部機器が車載機とペアリング済みであることを示している。操作エリア１０３には、「Audio」ボタン、「HFT」ボタンおよび「Delete」ボタンの３つが機種毎に表示されている。
【０００７】
ここで、「Audio」ボタンは、オーディオ機器として車載機にブルートゥース接続する外部機器を選択するためのボタンである。「HFT」ボタンは、電話機器として車載機にブルートゥース接続する外部機器を選択するためのボタンである。また、「Delete」ボタンは、車載機とのペアリング状態を解除するためのボタンである。
【０００８】
すなわち、機種名表示エリア１０２に表示された複数の外部機器のうち、「Audio」ボタンが押下されたものがオーディオ機器として車載機にブルートゥース接続される。また、機種名表示エリア１０２に表示された複数の外部機器のうち、「HFT」ボタンが押下されたものが電話機器として車載機にブルートゥース接続される。
【０００９】
そして、ブルートゥース接続中の外部機器に対応する「Audio」ボタンと「HFT」ボタンとが他とは異なる態様で表示されることにより、どの機種がブルートゥース接続されているのかをユーザが識別できるようになされている。図６（ｃ）の例では、機種名“ＣＣＣ”の外部機器がオーディオ機器としてブルートゥース接続されるとともに、機種名“ＡＡＡ”の外部機器が電話機器としてブルートゥース接続されている。
【００１０】
なお、ブルートゥース接続に関するものではないものの、ユーザインタフェースの一形態として、テレビ装置などの表示装置に対してＤＶＤプレーヤやＨＤＤレコーダなど複数の外部機器が接続されているときに、入力切替メニューを表示させるだけで接続機器の状態を一覧表示させるようにした技術も存在する（例えば、特許文献１参照）。
【先行技術文献】
【特許文献】
【００１１】
【特許文献１】特開２００８−８５７０３号公報
【発明の概要】
【発明が解決しようとする課題】
【００１２】
図６に示したユーザインタフェースを提供する従来技術では、ペアリング済みの外部機器が複数ある場合に、操作エリア１０３に表示される「Audio」ボタン、「HFT」ボタンおよび「Delete」ボタンの数が多くなる。ユーザはこの中から、ブルートゥース接続しようとする外部機器の「Audio」ボタンまたは「HFT」ボタンの何れかをタッチ操作しなければならない。しかしながら、外部機器の数が多くなると、ボタンの数も多くなるため、ユーザがミスタッチをしてしまう可能性が高くなるという問題があった。
【００１３】
また、図６に示したユーザインタフェースでは、外部機器が電話機能とオーディオ再生機能との両方を持っていない場合でも、「Audio」ボタンおよび「HFT」ボタンの両方が表示されてしまう。すなわち、本来は選択できないボタンも表示されてしまう。そのため、オーディオ機器または電話機器として選択可能な外部機器をユーザに正しく伝えることができず、選択可能であると誤解したユーザによるミスタッチが生じてしまうという問題もあった。
【００１４】
本発明は、このような問題を解決するために成されたものであり、ペアリング済みの複数の外部機器の中からブルートゥース接続する機器をユーザが選択する際に、ユーザインタフェースを通じてユーザが所望の機器を間違いなく選択しやすくできるようにすることを目的とする。
【課題を解決するための手段】
【００１５】
上記した課題を解決するために、本発明では、ブルートゥース接続する外部機器を変更するための指示操作が行われたときに、ブルートゥースのペアリングが行われている外部機器の中から、現在ブルートゥース接続している外部機器で使用中の機能を使用可能な外部機器をプロファイル情報に基づいて特定し、当該特定した外部機器の識別情報を、ブルートゥース接続する外部機器を選択する操作を行うためのユーザインタフェースとして提供するようにしている。
【００１６】
本発明の他の態様では、上記のように特定した外部機器がブルートゥースによる通信可能範囲内に存在するか否かをサーチし、通信可能範囲内に存在することが確認された外部機器の識別情報をユーザインタフェースとして提供するようにしている。
【発明の効果】
【００１７】
上記のように構成した本発明によれば、ブルートゥースのペアリングが行われている複数の外部機器のうち、現在ブルートゥース接続している外部機器で使用中の機能を使用可能な外部機器の識別情報だけが機器選択用のユーザインタフェースとして提供されるので、同じ機能についてブルートゥース接続する外部機器を変更しようとするときに必要最小限の情報だけでユーザインタフェースを構成することができる。また、その機能を実際に使用可能な外部機器の識別情報だけが機器選択用のユーザインタフェースとして提供されるので、選択可能な外部機器の一覧をユーザに正しく提供することができる。これにより、当該ユーザインタフェースを通じてユーザが所望の外部機器を間違いなく選択しやすくすることができる。
【００１８】
また、本発明の他の特徴によれば、現在使用中の機能を使用可能な外部機器の中でも、ブルートゥースの通信可能範囲内に存在することが確認された外部機器の識別情報だけがユーザインタフェースとして提供される。そのため、現在使用中の機能と同じ機能を有し、かつ、実際に使用可能な外部機器の一覧をユーザインタフェースを通じてユーザに提供することができる。これにより、当該ユーザインタフェースを通じてユーザが所望の外部機器を更に間違いなく選択しやすくすることができる。
【図面の簡単な説明】
【００１９】
【図１】第１の実施形態による機器選択用ユーザインタフェースの提供装置の機能構成例を示すブロック図である。
【図２】本実施形態のＵＩ提供部により提供される機器選択画面の一例を示す図である。
【図３】第１の実施形態によるＵＩ提供装置を搭載した車載機の動作例を示すフローチャートである。
【図４】第２の実施形態による機器選択用ユーザインタフェースの提供装置の機能構成例を示すブロック図である。
【図５】第２の実施形態によるＵＩ提供装置を搭載した車載機の動作例を示すフローチャートである。
【図６】車載機によって提供される従来のユーザインタフェースを示す図である
【発明を実施するための形態】
【００２０】
（第１の実施形態）
以下、本発明の第１の実施形態を図面に基づいて説明する。図１は、第１の実施形態による機器選択用ユーザインタフェースの提供装置（以下、ＵＩ提供装置１０と記す）の機能構成例を示すブロック図である。第１の実施形態によるＵＩ提供装置１０は、例えば車載機に搭載される。
【００２１】
図１に示すように、第１の実施形態によるＵＩ提供装置１０は、ペアリング情報記憶部１、モード情報記憶部２、操作受付部３、外部機器特定部４およびＵＩ提供部５を備えている。また、第１の実施形態によるＵＩ提供装置１０は、タッチパネル付きディスプレイ２０に接続されている。また、ＵＩ提供装置１０が搭載された車載機の機能として、モード設定部１１およびブルートゥース通信部１２が備えられている。
【００２２】
上記操作受付部３、外部機器特定部４およびＵＩ提供部５の各機能は、ハードウェア、ＤＳＰ（Digital Signal Processor）、ソフトウェアの何れによっても構成することが可能である。例えばソフトウェアによって構成する場合、上記各機能３〜５は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２３】
ペアリング情報記憶部１は、車載機との間でブルートゥースのペアリングが行われている外部機器（携帯電話機やスマートフォンなどの電話機器、携帯型オーディオ再生装置やスマートフォンなどのオーディオ機器など）について、ブルートゥース接続して使用可能な機能を表すプロファイル情報を外部機器の識別情報と共に記憶する。なお、車載機と外部機器とのペアリングは、ブルートゥース通信部１２を通じて事前に行われ、そのときに外部機器の識別情報とプロファイル情報とがペアリング情報記憶部１に記憶される。
【００２４】
本実施形態では、ブルートゥース接続して使用可能な機能を表すプロファイル情報として、オーディオ機器が備えるオーディオ再生機能、電話機器が備える電話機能の２つの機能に関する情報を用いる。また、本実施形態では、外部機器の識別情報として、機種名を用いる。以下では、外部機器の識別情報およびプロファイル情報を合せてペアリング情報という。
【００２５】
モード情報記憶部２は、ペアリング情報記憶部１にペアリング情報が記憶されているペアリング済みの外部機器のうち、車載機とブルートゥース接続している外部機器において現在使用中の機能を、モード情報として記憶する。モード設定部１１は、ブルートゥース通信部１２を通じて現在ブルートゥース接続されている外部機器において使用中の機能を特定し、その機能をモード情報としてモード情報記憶部２に記憶させる。
【００２６】
本実施形態において、モード情報には、AudioモードとPhoneモードとの２つがある。Audioモードは、オーディオ機器を車載機にブルートゥース接続してオーディオ再生機能を使用している際にモード設定部１１により設定される。Phoneモードは、電話機器を車載機のハンズフリーユニットにブルートゥース接続して電話機能を使用している際にモード設定部１１により設定される。
【００２７】
操作受付部３は、タッチパネル付きディスプレイ２０のタッチパネルに対するユーザの操作を受け付ける。外部機器特定部４は、ブルートゥース接続する外部機器を変更するための指示操作がタッチパネルに対して行われたことが操作受付部３により検出されたときに、ペアリング情報記憶部１およびモード情報記憶部２を参照することにより、ペアリング情報記憶部１に記憶されているペアリング済みの外部機器の中から、現在設定中のモード情報により特定される機能を使用可能な外部機器を特定する。
【００２８】
ＵＩ提供部５は、タッチパネル付きディスプレイ２０の表示部に対して各種の操作画面（ＵＩ画面）を表示させる。例えば、Audioモードを表すモード情報がモード情報記憶部２に記憶されている場合、ＵＩ提供部５は、図６（ａ）に示すようなＵＩ画面をタッチパネル付きディスプレイ２０に表示させる。また、Phoneモードを表すモード情報がモード情報記憶部２に記憶されている場合、ＵＩ提供部５は、図６（ｂ）に示すようなＵＩ画面をタッチパネル付きディスプレイ２０に表示させる。
【００２９】
AudioモードおよびPhoneモードのどちらのＵＩ画面にも、ブルートゥース接続する外部機器を変更するためのユーザインタフェースとして、機器変更ボタン１０１が表示されている。この機器変更ボタン１０１が押下されたことが操作受付部３により検出されると、上述したように、現在設定中のモード情報により特定される機能を使用可能な外部機器が外部機器特定部４により特定される。そして、ＵＩ提供部５は、外部機器特定部４により特定された外部機器に基づいて、所定の機器選択画面をタッチパネル付きディスプレイ２０に表示させる。
【００３０】
すなわち、ＵＩ提供部５は、タッチパネル付きディスプレイ２０に表示する所定の機器選択画面を通じて、外部機器特定部４により特定された外部機器の識別情報（機種名）を、ブルートゥース接続する外部機器を選択する操作を行うためのユーザインタフェースとして提供する。図２は、本実施形態のＵＩ提供部５により提供される機器選択画面の一例を示す図である。
【００３１】
図２（ａ）に示すように、Audioモードの設定中に機器変更ボタン１０１が押下された場合、機器選択画面には、車載機とペアリング済みのオーディオ機器の機種名一覧が、ブルートゥース接続する外部機器を選択する操作を行うためのユーザインタフェースとして表示される。図２（ａ）の例では、AudioモードのＵＩ画面がグレースケール化されて操作できない状態とされ、その上にオーディオ機器の機種名一覧が機器選択画面として表示されている。
【００３２】
図２（ａ）では、５機種のオーディオ機器が車載機とペアリング済みであることを示している。ユーザは、現在選択中の機種名以外で所望の機種名をタッチすることにより、ブルートゥース接続するオーディオ機器を、当該タッチした機種名のオーディオ機器に変更することが可能である。なお、ユーザが現在選択中の機種名あるいは戻るボタン１１０をタッチした場合は、機器選択画面の表示がキャンセルされ、AudioモードのＵＩ画面に戻る。
【００３３】
また、図２（ｂ）に示すように、Phoneモードの設定中に機器変更ボタン１０１が押下された場合、機器選択画面には、車載機とペアリング済みの電話機器の機種名一覧が、ブルートゥース接続する外部機器を選択する操作を行うためのユーザインタフェースとして表示される。
【００３４】
図２（ｂ）の例では、４機種の電話機器が車載機とペアリング済みであることを示している。ユーザは、現在選択中の機種名以外で所望の機種名をタッチすることにより、ブルートゥース接続する電話機器を、当該タッチした機種名の電話機器に変更することが可能である。なお、ユーザが現在選択中の機種名あるいは戻るボタン１１０をタッチした場合は、機器選択画面の表示がキャンセルされ、PhoneモードのＵＩ画面に戻る。また、ユーザが閉じるボタン１１１をタッチした場合は、機器選択画面の表示がキャンセルされ、AudioモードのＵＩ画面が表示される。
【００３５】
図３は、上記のように構成した第１の実施形態によるＵＩ提供装置１０を搭載した車載機の動作例を示すフローチャートである。なお、図３に示すフローチャートは、車載機において外部機器とのブルートゥース接続が行われたときに開始する。
【００３６】
まず、ＵＩ提供部５は、モード情報記憶部２に記憶されているモード情報に応じたＵＩ画面をタッチパネル付きディスプレイ２０に表示させる（ステップＳ１）。操作受付部３は、このＵＩ画面に表示されている機器変更ボタン１０１に対するタッチ操作を受け付けたか否かを判定する（ステップＳ２）。機器変更ボタン１０１に対するタッチ操作を操作受付部３が受け付けていない場合、処理はステップＳ７に進む。
【００３７】
一方、機器変更ボタン１０１に対するタッチ操作を操作受付部３が受け付けた場合、外部機器特定部４は、ペアリング情報記憶部１およびモード情報記憶部２を参照することにより、車載機とペアリング済みの外部機器の中から、現在設定中のモード情報により特定される機能を使用可能な外部機器を特定する（ステップＳ３）。そして、ＵＩ提供部５は、外部機器特定部４により特定された外部機器の機種名一覧を、ブルートゥース接続する外部機器を選択する操作を行うための機器選択画面としてタッチパネル付きディスプレイ２０に表示させる（ステップＳ４）。
【００３８】
その後、操作受付部３は、機器選択画面に一覧表示された機種名の中から、現在選択中の機種名以外で何れかを選択するタッチ操作を受け付けたか否かを判定する（ステップＳ５）。現在選択中の機種名以外の中から何れかの機種名を選択するタッチ操作を操作受付部３が受け付けていない場合、操作受付部３は、機器選択画面の表示をキャンセルするための操作（現在選択中の機種名、戻るボタン１１０あるいは閉じるボタン１１１のタッチ操作）を受け付けたか否かを更に判定する（ステップＳ６）。
【００３９】
操作受付部３が機器選択画面キャンセルのための操作を受け付けた場合、処理はステップＳ１に戻る。一方、操作受付部３が当該キャンセルのための操作を受け付けていない場合、処理はステップＳ５に戻る。ステップＳ５において、現在選択中の機種名以外の中から何れかの機種名を選択するタッチ操作を操作受付部３が受け付けた場合、車載機は、ブルートゥース通信部１２を通じてブルートゥース接続する外部機器を、当該選択された機種名の外部機器に変更する（ステップＳ７）。
【００４０】
その後、操作受付部３は、外部機器とのブルートゥース接続を終了するための操作を受け付けたか否かを判定する（ステップＳ８）。当該終了操作を操作受付部３が受け付けていない場合、処理はステップＳ１に戻る。一方、当該終了操作を操作受付部３が受け付けた場合、図３に示すフローチャートの処理は終了する。
【００４１】
以上詳しく説明したように、第１の実施形態では、AudioモードまたはPhoneモードの何れかのＵＩ画面において機器変更ボタン１０１のタッチ操作が行われたときに、外部機器特定部４がペアリング情報記憶部１およびモード情報記憶部２を参照して、ブルートゥースのペアリングが行われている外部機器の中から、現在使用中の機能を使用可能な外部機器を特定する。すなわち、Audioモードの設定中はオーディオ機器、Phoneモードの設定中は電話機器を特定する。そして、当該特定した外部機器の機種名を、ブルートゥース接続する外部機器を選択する操作を行うためのユーザインタフェースとしてＵＩ提供部５がタッチパネル付きディスプレイ２０に表示させるようにしている。
【００４２】
このように構成した第１の実施形態によれば、ブルートゥースのペアリングが行われている複数の外部機器のうち、現在ブルートゥース接続している外部機器で使用中の機能を使用可能な外部機器（オーディオ機器または電話機器の何れか）の機種名だけが機器選択用のユーザインタフェースとして提供される。そのため、同じ機能についてブルートゥース接続する外部機器を変更しようとするときに、必要最小限の情報だけでユーザインタフェースを構成することができる。また、その機能を実際に使用可能な外部機器の機種名だけが機器選択用のユーザインタフェースとして提供されるので、選択可能な外部機器をユーザに正しく提供することができる。これにより、当該ユーザインタフェースを通じてユーザが所望の外部機器を間違いなく選択しやすくすることができ、ミスタッチの発生を低減することができる。
【００４３】
なお、上記第１の実施形態によると、図６（ｃ）に示した従来の「Delete」ボタンが表示されない。そこで、機器変更ボタン１０１を所定時間（例えば、１秒）以上連続で長押しした場合に、図６（ｃ）に示す従来の機器選択画面をタッチパネル付きディスプレイ２０に表示させるようにしてもよい。
【００４４】
すなわち、機器変更ボタン１０１が所定時間以上の長押し操作された場合、ＵＩ提供部５は、図６（ｃ）に示すように、ペアリング情報記憶部１に記憶されている外部機器の全てに関する機種名を表示して成る機種名表示エリア１０２と、機能を選択するための複数の機能選択ボタン（「Audio」ボタン、「HFT」ボタンおよび「Delete」ボタン）を外部機器毎に表示して成る操作エリア１０３とから構成された第２のユーザインタフェースを提供する。
【００４５】
一方、機器変更ボタン１０１が所定時間より短い間の短押し操作された場合、ＵＩ提供部５は、図２（ａ）または図２（ｂ）に示すように、そのときのモード情報に応じた外部機器の機種名を、外部機器選択用のユーザインタフェースとして提供する。
【００４６】
（第２の実施形態）
次に、本発明の第２の実施形態を図面に基づいて説明する。図４は、第２の実施形態によるＵＩ提供装置１０’の機能構成例を示すブロック図である。なお、この図４において、図１に示した符号と同一の符号を付したものは同一の機能を有するものであるので、ここでは重複する説明を省略する。
【００４７】
図４に示すように、第２の実施形態によるＵＩ提供装置１０’は、図１に示した機能に加えて、サーチ部６を備えている。また、ＵＩ提供装置１０’は、図１に示したＵＩ提供部５に代えて、これとは機能が異なるＵＩ提供部５’を備えている。
【００４８】
サーチ部６は、ブルートゥース通信部１２を通じて、外部機器特定部４により特定された外部機器がブルートゥースの通信可能範囲内に存在するか否かをサーチする。ＵＩ提供部５’は、外部機器特定部４により特定された外部機器のうち、サーチ部６により通信可能範囲内に存在することが確認された外部機器の機種名を、機器選択画面のユーザインタフェースとしてタッチパネル付きディスプレイ２０に表示させる。
【００４９】
図５は、上記のように構成した第２の実施形態によるＵＩ提供装置１０’を搭載した車載機の動作例を示すフローチャートである。なお、図５に示すフローチャートは、車載機において外部機器とのブルートゥース接続が行われたときに開始する。
【００５０】
まず、ＵＩ提供部５’は、モード情報記憶部２に記憶されているモード情報に応じたＵＩ画面をタッチパネル付きディスプレイ２０に表示させる（ステップＳ１１）。操作受付部３は、このＵＩ画面に表示されている機器変更ボタン１０１に対するタッチ操作を受け付けたか否かを判定する（ステップＳ１２）。機器変更ボタン１０１に対するタッチ操作を操作受付部３が受け付けていない場合、処理はステップＳ１８に進む。
【００５１】
一方、機器変更ボタン１０１に対するタッチ操作を操作受付部３が受け付けた場合、外部機器特定部４は、ペアリング情報記憶部１およびモード情報記憶部２を参照することにより、車載機とペアリング済みの外部機器の中から、現在設定中のモード情報により特定される機能を使用可能な外部機器を特定する（ステップＳ１３）。さらに、サーチ部６は、ブルートゥース通信部１２を通じて、外部機器特定部４により特定された外部機器が通信可能範囲内に存在するか否かをサーチする（ステップＳ１４）。
【００５２】
そして、ＵＩ提供部５’は、外部機器特定部４により特定された外部機器のうち、サーチ部６により通信可能範囲内に存在することが確認された外部機器の機種名一覧を、ブルートゥース接続する外部機器を選択する操作を行うための機器選択画面としてタッチパネル付きディスプレイ２０に表示させる（ステップＳ１５）。
【００５３】
その後、操作受付部３は、機器選択画面に一覧表示された機種名の中から、現在選択中の機種名以外で何れかを選択するタッチ操作を受け付けたか否かを判定する（ステップＳ１６）。現在選択中の機種名以外の中から何れかの機種名を選択するタッチ操作を操作受付部３が受け付けていない場合、操作受付部３は、機器選択画面の表示をキャンセルするための操作を受け付けたか否かを更に判定する（ステップＳ１７）。
【００５４】
操作受付部３が機器選択画面キャンセルのための操作を受け付けた場合、処理はステップＳ１１に戻る。一方、操作受付部３が当該キャンセルのための操作を受け付けていない場合、処理はステップＳ１６に戻る。ステップＳ１６において、現在選択中の機種名以外の中から何れかの機種名を選択するタッチ操作を操作受付部３が受け付けた場合、車載機は、ブルートゥース通信部１２を通じてブルートゥース接続する外部機器を、当該選択された機種名の外部機器に変更する（ステップＳ１８）。
【００５５】
その後、操作受付部３は、外部機器とのブルートゥース接続を終了するための操作を受け付けたか否かを判定する（ステップＳ１９）。当該終了操作を操作受付部３が受け付けていない場合、処理はステップＳ１１に戻る。一方、当該終了操作を操作受付部３が受け付けた場合、図５に示すフローチャートの処理は終了する。
【００５６】
以上のように構成した第２の実施形態によれば、現在使用中の機能を使用可能な外部機器の中でも、ブルートゥースの通信可能範囲内に存在することが確認された外部機器の機種名だけが機器選択用のユーザインタフェースとして提供される。そのため、現在使用中の機能と同じ機能を有し、かつ、実際に使用可能な外部機器をユーザインタフェースを通じてユーザに提供することができる。これにより、当該ユーザインタフェースを通じてユーザが所望の外部機器を更に間違いなく選択しやすくすることができる。
【００５７】
なお、上記第１および第２の実施形態では、車載機に外部機器をブルートゥース接続して使用可能な機能として、オーディオ再生機能および電話機能の２つを用いる例について説明したが、本発明はこれに限定されない。例えば、ファイル転送機能、印刷機能、情報入力機能等を更に用いるようにしてもよい。この場合、ペアリング情報記憶部１にはこれらの機能に関するプロファイル情報が記憶され、モード情報記憶部２には上記各種の機能に応じたモード情報が記憶される。
【００５８】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５９】
１  ペアリング情報記憶部
２  モード情報記憶部
４  外部機器特定部
５，５’  ＵＩ提供部
６  サーチ部
【図１】
2014204303.tif 000003
【図２】
2014204303.tif 000004
【図３】
2014204303.tif 000005
【図４】
2014204303.tif 000006
【図５】
2014204303.tif 000007
【図６】
2014204303.tif 000008